【手続補正書】
【提出日】平成24年9月5日(2012.9.5)
【手続補正１】
【補正対象書類名】特許請求の範囲
【補正対象項目名】全文
【補正方法】変更
【補正の内容】
【特許請求の範囲】
【請求項１】
画像の輝度成分を対象として、符号化処理の対象となる対象ブロックの輝度成分の画素に対してイントラ予測を行う際に用いるイントラ予測モード又はブロックサイズに応じて、前記対象ブロックの輝度成分の画素に対してイントラ予測を行う際に参照する隣接画素にフィルタ処理を行うフィルタ部と、
前記フィルタ部によりフィルタ処理が行われた隣接画素を用いて、前記対象ブロックの輝度成分の画素に対してイントラ予測を行い、予測画像を生成するイントラ予測部と、
前記イントラ予測部により生成された予測画像を用いて、前記画像を符号化処理する符号化部と
を備える画像処理装置。
【請求項２】
前記フィルタ部は、画像の輝度成分に対するイントラ予測モードを識別するモード情報又はブロックサイズを示す情報を用いて、前記対象ブロックの輝度成分の画素に対してイントラ予測を行う際に参照する隣接画素にフィルタ処理を行う
請求項１に記載の画像処理装置。
【請求項３】
前記イントラ予測モード又はブロックサイズに応じて、隣接画素にフィルタ処理を行うか、隣接画素にフィルタ処理を行わないかを選択するように、前記フィルタ部を制御する制御部を
さらに備える請求項２に記載の画像処理装置。
【請求項４】
前記制御部は、隣接画素にフィルタ処理を行うかを識別する識別情報を用いて、隣接画素にフィルタ処理を行うか、隣接画素にフィルタ処理を行わないかを選択するように、前記フィルタ部を制御する
請求項３に記載の画像処理装置。
【請求項５】
前記フィルタ部は、３タップのフィルタ係数を用いたフィルタ演算を用いて、前記隣接画素にフィルタ処理を行う
請求項４に記載の画像処理装置。
【請求項６】
前記符号化部は、前記画像を、階層構造を有する単位で符号化処理する
請求項５に記載の画像処理装置。
【請求項７】
前記イントラ予測部は、ブロックサイズを４×４画素、８×８画素、１６×１６画素、３２×３２画素として、イントラ予測を行う
請求項６に記載の画像処理装置。
【請求項８】
画像処理装置が、
画像の輝度成分を対象として、符号化処理の対象となる対象ブロックの輝度成分の画素に対してイントラ予測を行う際に用いるイントラ予測モード又はブロックサイズに応じて、前記対象ブロックの輝度成分の画素に対してイントラ予測を行う際に参照する隣接画素にフィルタ処理を行い、
フィルタ処理が行われた隣接画素を用いて、前記対象ブロックの輝度成分の画素に対してイントラ予測を行い、予測画像を生成し、
生成された予測画像を用いて、前記画像を符号化処理する
画像処理方法。
【請求項９】
画像の色差成分を対象として、符号化処理の対象となる対象ブロックの色差成分の画素に対してイントラ予測を行う際に用いるイントラ予測モード又はブロックサイズに応じて、前記対象ブロックの色差成分の画素に対してイントラ予測を行う際に参照する隣接画素にフィルタ処理を行うフィルタ部と、
前記フィルタ部によりフィルタ処理が行われた隣接画素を用いて、前記対象ブロックの色差成分の画素に対してイントラ予測を行い、予測画像を生成するイントラ予測部と、
前記イントラ予測部により生成された予測画像を用いて、前記画像を符号化処理する符号化部と
を備える画像処理装置。
【請求項１０】
画像処理装置が、
画像の色差成分を対象として、符号化処理の対象となる対象ブロックの色差成分の画素に対してイントラ予測を行う際に用いるイントラ予測モード又はブロックサイズに応じて、前記対象ブロックの色差成分の画素に対してイントラ予測を行う際に参照する隣接画素にフィルタ処理を行い、
フィルタ処理が行われた隣接画素を用いて、前記対象ブロックの色差成分の画素に対してイントラ予測を行い、予測画像を生成し、
生成された予測画像を用いて、前記画像を符号化処理する
画像処理方法。
【請求項１１】
請求項１に記載の画像処理装置により符号化処理されたビットストリームを記録した記録媒体。
【手続補正２】
【補正対象書類名】明細書
【補正対象項目名】００２４
【補正方法】変更
【補正の内容】
【００２４】
本発明の第１の側面の画像処理装置は、画像の輝度成分を対象として、符号化処理の対象となる対象ブロックの輝度成分の画素に対してイントラ予測を行う際に用いるイントラ予測モード又はブロックサイズに応じて、前記対象ブロックの輝度成分の画素に対してイントラ予測を行う際に参照する隣接画素にフィルタ処理を行うフィルタ部と、前記フィルタ部によりフィルタ処理が行われた隣接画素を用いて、前記対象ブロックの輝度成分の画素に対してイントラ予測を行い、予測画像を生成するイントラ予測部と、前記イントラ予測部により生成された予測画像を用いて、前記画像を符号化処理する符号化部とを備える。
【手続補正３】
【補正対象書類名】明細書
【補正対象項目名】００２５
【補正方法】変更
【補正の内容】
【００２５】
前記フィルタ部は、画像の輝度成分に対するイントラ予測モードを識別するモード情報又はブロックサイズを示す情報を用いて、前記対象ブロックの輝度成分の画素に対してイントラ予測を行う際に参照する隣接画素にフィルタ処理を行うことができる。
【手続補正４】
【補正対象書類名】明細書
【補正対象項目名】００２６
【補正方法】変更
【補正の内容】
【００２６】
前記イントラ予測モード又はブロックサイズに応じて、隣接画素にフィルタ処理を行うか、隣接画素にフィルタ処理を行わないかを選択するように、前記フィルタ部を制御する制御部をさらに備えることができる。
【手続補正５】
【補正対象書類名】明細書
【補正対象項目名】００２７
【補正方法】変更
【補正の内容】
【００２７】
前記制御部は、隣接画素にフィルタ処理を行うかを識別する識別情報を用いて、隣接画素にフィルタ処理を行うか、隣接画素にフィルタ処理を行わないかを選択するように、前記フィルタ部を制御することができる。
【手続補正６】
【補正対象書類名】明細書
【補正対象項目名】００２８
【補正方法】変更
【補正の内容】
【００２８】
前記フィルタ部は、３タップのフィルタ係数を用いたフィルタ演算を用いて、前記隣接画素にフィルタ処理を行うことができる。
【手続補正７】
【補正対象書類名】明細書
【補正対象項目名】００２９
【補正方法】変更
【補正の内容】
【００２９】
前記符号化部は、前記画像を、階層構造を有する単位で符号化処理することができる。
【手続補正８】
【補正対象書類名】明細書
【補正対象項目名】００３０
【補正方法】変更
【補正の内容】
【００３０】
前記イントラ予測部は、ブロックサイズを４×４画素、８×８画素、１６×１６画素、３２×３２画素として、イントラ予測を行うことができる。
【手続補正９】
【補正対象書類名】明細書
【補正対象項目名】００３１
【補正方法】変更
【補正の内容】
【００３１】
本発明の第１の側面の画像処理方法は、画像処理装置が、画像の輝度成分を対象として、符号化処理の対象となる対象ブロックの輝度成分の画素に対してイントラ予測を行う際に用いるイントラ予測モード又はブロックサイズに応じて、前記対象ブロックの輝度成分の画素に対してイントラ予測を行う際に参照する隣接画素にフィルタ処理を行い、フィルタ処理が行われた隣接画素を用いて、前記対象ブロックの輝度成分の画素に対してイントラ予測を行い、予測画像を生成し、生成された予測画像を用いて、前記画像を符号化処理する。
【手続補正１０】
【補正対象書類名】明細書
【補正対象項目名】００３２
【補正方法】変更
【補正の内容】
【００３２】
本発明の第２の側面の画像処理装置は、画像の色差成分を対象として、符号化処理の対象となる対象ブロックの色差成分の画素に対してイントラ予測を行う際に用いるイントラ予測モード又はブロックサイズに応じて、前記対象ブロックの色差成分の画素に対してイントラ予測を行う際に参照する隣接画素にフィルタ処理を行うフィルタ部と、前記フィルタ部によりフィルタ処理が行われた隣接画素を用いて、前記対象ブロックの色差成分の画素に対してイントラ予測を行い、予測画像を生成するイントラ予測部と、前記イントラ予測部により生成された予測画像を用いて、前記画像を符号化処理する符号化部とを備える。
【手続補正１１】
【補正対象書類名】明細書
【補正対象項目名】００３３
【補正方法】変更
【補正の内容】
【００３３】
本発明の第２の側面の画像処理方法は、画像処理装置が、画像の色差成分を対象として、符号化処理の対象となる対象ブロックの色差成分の画素に対してイントラ予測を行う際に用いるイントラ予測モード又はブロックサイズに応じて、前記対象ブロックの色差成分の画素に対してイントラ予測を行う際に参照する隣接画素にフィルタ処理を行い、フィルタ処理が行われた隣接画素を用いて、前記対象ブロックの色差成分の画素に対してイントラ予測を行い、予測画像を生成し、生成された予測画像を用いて、前記画像を符号化処理する。
【手続補正１２】
【補正対象書類名】明細書
【補正対象項目名】００３４
【補正方法】変更
【補正の内容】
【００３４】
本発明の第１の側面の記録媒体は、請求項１に記載の画像処理装置により符号化処理されたビットストリームを記録した記録媒体である。
【手続補正１３】
【補正対象書類名】明細書
【補正対象項目名】００３５
【補正方法】削除
【補正の内容】
【手続補正１４】
【補正対象書類名】明細書
【補正対象項目名】００３６
【補正方法】削除
【補正の内容】
【手続補正１５】
【補正対象書類名】明細書
【補正対象項目名】００３７
【補正方法】削除
【補正の内容】
【手続補正１６】
【補正対象書類名】明細書
【補正対象項目名】００３８
【補正方法】削除
【補正の内容】
【手続補正１７】
【補正対象書類名】明細書
【補正対象項目名】００３９
【補正方法】削除
【補正の内容】
【手続補正１８】
【補正対象書類名】明細書
【補正対象項目名】００４０
【補正方法】削除
【補正の内容】
【手続補正１９】
【補正対象書類名】明細書
【補正対象項目名】００４１
【補正方法】削除
【補正の内容】
【手続補正２０】
【補正対象書類名】明細書
【補正対象項目名】００４２
【補正方法】削除
【補正の内容】
【手続補正２１】
【補正対象書類名】明細書
【補正対象項目名】００４３
【補正方法】削除
【補正の内容】
【手続補正２２】
【補正対象書類名】明細書
【補正対象項目名】００４４
【補正方法】変更
【補正の内容】
【００４４】
本発明の第１の側面においては、画像の輝度成分を対象として、符号化処理の対象となる対象ブロックの輝度成分の画素に対してイントラ予測を行う際に用いるイントラ予測モード又はブロックサイズに応じて、前記対象ブロックの輝度成分の画素に対してイントラ予測を行う際に参照する隣接画素にフィルタ処理が行われる。そして、フィルタ処理が行われた隣接画素を用いて、前記対象ブロックの輝度成分の画素に対してイントラ予測が行われ、予測画像が生成され、生成された予測画像を用いて、前記画像が符号化処理される。
【手続補正２３】
【補正対象書類名】明細書
【補正対象項目名】００４５
【補正方法】変更
【補正の内容】
【００４５】
本発明の第２の側面においては、画像の色差成分を対象として、符号化処理の対象となる対象ブロックの色差成分の画素に対してイントラ予測を行う際に用いるイントラ予測モード又はブロックサイズに応じて、前記対象ブロックの色差成分の画素に対してイントラ予測を行う際に参照する隣接画素にフィルタ処理が行われる。そして、フィルタ処理が行われた隣接画素を用いて、前記対象ブロックの色差成分の画素に対してイントラ予測が行われ、予測画像が生成され、生成された予測画像を用いて、前記画像が符号化処理される。
【手続補正２４】
【補正対象書類名】明細書
【補正対象項目名】００４７
【補正方法】削除
【補正の内容】
【手続補正２５】
【補正対象書類名】明細書
【補正対象項目名】００４８
【補正方法】変更
【補正の内容】
【００４８】
本発明によれば、画像を符号化することができる。また、本発明によれば、画像やビットレートに応じたノイズ除去を行うことができる。
【手続補正２６】
【補正対象書類名】明細書
【補正対象項目名】０４９６
【補正方法】変更
【補正の内容】
【０４９６】
なお、図４２の画像符号化装置５５１の符号化処理は、以下のイントラ処理と動き予測処理が異なるだけであり、その他の処理は、図３４の画像符号化装置４５１による符号化処理（すなわち、図１６の符号化処理）と基本的に同様の処理であるので、その説明は省略する。